(57)【要約】【課題】比較的大きな衝撃吸収効果を得ることができ、しかもこの衝撃吸収効果を制御することが可能なピストン型アキュムレータ１を提供する。【解決手段】シリンダ２にピストン６を挿入してガス室７を形成し、ガス室７にガスバネ作用を発揮するガスを封入してなるピストン型アキュムレータ１において、ガス室７にダンパー作用を発揮する絞り機構１５を設け、更に、絞り機構１５のオリフィス特性を変化させるための調整機構２１を設ける。調整機構２１としては、シリンダ２の外部から操作可能なものとする。【選択図】図１
2006077908.tif 000002
【特許請求の範囲】
【請求項１】
シリンダ（２）にピストン（６）を挿入してガス室（７）を形成し、前記ガス室（７）にガスバネ作用を発揮するガスを封入してなるピストン型アキュムレータ（１）において、
前記ガス室（７）にダンパー作用を発揮する絞り機構（１５）を設け、
前記絞り機構（１５）のオリフィス特性を変化させる調整機構（２１）を設けたことを特徴とするピストン型アキュムレータ。
【請求項２】
請求項１のピストン型アキュムレータにおいて、
調整機構（２１）は、シリンダ（２）の外部から操作可能とされていることを特徴とするピストン型アキュムレータ。
【発明の詳細な説明】
【技術分野】
【０００１】
本発明は、アキュムレータに係り、更に詳しくは、シリンダに対してピストンを組み合わせてなるピストン型アキュムレータに関するものである。
【背景技術】
【０００２】
従来から、図５に示すように、シリンダ５２にピストン５３を挿入してガス室５４を形成し、このガス室５４に、ガスバネ作用を発揮するガス（図示せず）を封入してなるピストン型アキュムレータ５１が知られている（特許文献１〜４参照）。
【０００３】
上記構成のアキュムレータ５１は、ガス室５４に封入されるガスがピストン５３により押圧されたときにガスバネ作用を発揮することから、これにより圧力配管側に発生する衝撃荷重を吸収する衝撃吸収効果を得ることができるが、ガスによるガスバネ作用のみによってこの衝撃吸収効果を得るものであるために、得られる衝撃吸収効果が余り大きくなく比較的小さいと云う不都合がある。
【０００４】
【特許文献１】特開２００３−２９４００１号公報
【特許文献２】特開２００３−１２０６０２号公報
【特許文献３】特開平８−１２１４０３号公報
【特許文献４】特開平７−３０５７０１号公報
【発明の開示】
【発明が解決しようとする課題】
【０００５】
本発明は以上の点に鑑みて、上記従来技術に対して比較的大きな衝撃吸収効果を得ることができ、しかもこの衝撃吸収効果を制御することが可能なピストン型アキュムレータを提供することを目的とする。
【課題を解決するための手段】
【０００６】
上記目的を達成するため、本発明の請求項１によるピストン型アキュムレータは、シリンダにピストンを挿入してガス室を形成し、前記ガス室にガスバネ作用を発揮するガスを封入してなるピストン型アキュムレータにおいて、前記ガス室にダンパー作用を発揮する絞り機構を設け、前記絞り機構のオリフィス特性を変化させる調整機構を設けたことを特徴とするものである。
【０００７】
また、本発明の請求項２によるピストン型アキュムレータは、上記した請求項１のピストン型アキュムレータにおいて、調整機構は、シリンダの外部から操作可能とされていることを特徴とするものである。
【０００８】
上記構成を備えた本発明の請求項１によるピストン型アキュムレータは、ガス室にダンパー作用を発揮する絞り機構を併せ設けたために、封入ガスによるガスバネ作用のほかに、絞り機構によるダンパー作用を発揮することが可能となる。またこれに加えて、絞り機構のオリフィス特性を変化させる調整機構を設けたために、この調整機構を操作することにより、絞り機構のオリフィス特性を変化させることが可能となる。絞り機構のオリフィス特性を変化させるとはすなわち、オリフィスの開口面積を変化させることである。
【０００９】
調整機構としては、請求項２に記載したように、シリンダの外部から操作可能なものが好適であり、このような調整機構によれば、装置を分解することなく絞り機構のオリフィス特性を変化させることが可能となる。
【発明の効果】
【００１０】
本発明は、以下の効果を奏する。
【００１１】
すなわち、上記構成を備えた本発明の請求項１によるピストン型アキュムレータにおいては、ガス室にダンパー作用を発揮する絞り機構が併せ設けられているために、当該アキュムレータが、封入ガスによるガスバネ作用と、絞り機構によるダンパー作用との双方を発揮することが可能とされている。したがって、この封入ガスによるガスバネ作用と、絞り機構によるダンパー作用とが双方同時に発揮されることにより、比較的大きな衝撃吸収効果を得ることができる。またこれに加えて、絞り機構のオリフィス特性を変化させる調整機構が設けられているために、この調整機構を操作することにより絞り機構のオリフィス特性を変化させることが可能となり、衝撃吸収効果を制御することができる。
【００１２】
また併せて、上記構成を備えた本発明の請求項２によるピストン型アキュムレータにおいては、調整機構がシリンダの外部から操作可能とされているために、装置を分解することなく装置の外部から絞り機構のオリフィス特性を変化させることができ、操作性が良好なアキュムレータを提供することができる。
【発明を実施するための最良の形態】
【００１３】
つぎに本発明の実施例を図面にしたがって説明する。
【００１４】
図１は、本発明の実施例に係るピストン型アキュムレータ１の一部切欠した正面図を示しており、当該ピストン型アキュムレータ１は以下のように構成されている。
【００１５】
すなわち先ず、筒状のシリンダ２の両端にそれぞれエンドカバー３，４が固定されて、内部にシリンダ室５が設けられ、このシリンダ室５にピストン（フリーピストンとも称する）６が摺動自在に挿入されて、シリンダ室５が図上右側のガス室７と、図上左側のフルード室８とに区分けされている。シリンダ２とピストン６との間は、パッキン等のシール部材９によってシールされている。
【００１６】
図上右側のエンドカバー３には、ガス室７にガス（図示せず）を注入するためのガス注入口１０が設けられており、この注入口１０はガス注入後、プラグ１１によって閉塞されている。シリンダ２とエンドカバー３との間は、Ｏリング等のシール部材１２によってシールされている。
【００１７】
図上左側のエンドカバー４には、当該アキュムレータ１を圧力配管（図示せず）に接続して圧油等のフルード（図示せず）をフルード室８に導入するためのフルード導入口１３が設けられている。シリンダ２とエンドカバー４との間は、Ｏリング等のシール部材１４によってシールされている。
【００１８】
また、ガス室７内には、絞り機構１５が設けられており、当該実施例では、この絞り機構１５が、シリンダ２の内面に固定された平板状の仕切り部材（壁とも称する）１６の平面中央に孔状のオリフィス１７を設けたものとして形成されている。
【００１９】
絞り機構１５ないし仕切り部材１６は、ガス室７の長手方向半ばに配置されており、よってこの絞り機構１５ないし仕切り部材１６によりガス室７は、ピストン６側の第一ガス室７ａと、エンドカバー３側の第二ガス室７ｂとに区分けされている。両ガス室７ａ，７ｂは、オリフィス１７を介して互いに連通している。
【００２０】
また、当該実施例においては更に、絞り機構１５のオリフィス特性を変化させるための調整機構２１が設けられており、この調整機構２１は、シリンダ２の外部すなわち当該アキュムレータ１の外部から操作可能とされている。
【００２１】
すなわち、図上右側のエンドカバー３に、当該アキュムレータ１の内外を連通するよう貫通孔２２が設けられて、この貫通孔２２に調整部材２３が設置されている。
【００２２】
この調整部材２３は、貫通孔２２に軸方向変位可能に挿入されたロッド２４と、ロッド２４の先端（図上左端）に設けられた頭部（絞り弁体とも称する）２５とを有しており、頭部２５が、その円錐面形に形成された周面（先端面）２５ａをもって、同じく円錐面形に形成されたオリフィス１７の内周面１７ａと同軸上に対向しており、両面１７ａ，２５ａの間に、環状を呈する円錐面状の間隙が形成されている。頭部２５は裁頭円錐形に形成されている。したがって、調整部材２３が図上左方向に変位すると、オリフィス１７および頭部２５間の上記間隙が狭められてガスがオリフィス１７を通過しにくくなり、反対に調整部材２３が図上右方向に変位すると、オリフィス１７および頭部２５間の上記間隙が広がってガスがオリフィスを通過し易くなり、その変位に応じてオリフィス１７の開口面積が変化し、オリフィス特性が変化する。
【００２３】
エンドカバー３と調整部材２３のロッド２４との間は、Ｏリング等のシール部材２６によってシールされている。
【００２４】
また、調整部材２３の後端（図上右端）すなわちロッド２４の後端は、エンドカバー３から外部に突出しており、よってこの後端をもって外部から調整部材２３を操作することが可能とされている。尚、この操作ないしエンドカバー３に対する調整部材２３の固定については、ネジ式が採用されており、すなわちロッド２４をネジにしたがって回転させることによりロッド２４を軸方向に進退させるように構成されている。この作動を可能とするため、ロッド２４の後端部周面にはネジ（雄ネジ）２７が切られており、一方、エンドカバー３の外面部には、ネジ２７と螺合するナット２８が固定されている。
【００２５】
上記構成のアキュムレータ１を圧力配管に接続して当該アキュムレータ１に対して圧力配管側から衝撃が伝えられると、ピストン６がガス室７側へ移動してガス室７内の封入ガスを圧縮することから、このとき封入ガスによるガスバネ作用が発揮される。また同時に、第一液室７ａ内の封入ガスの一部が絞り機構１５のオリフィス１７を介して第二ガス室７ｂへ移動せしめられ、オリフィス１７通過時に減衰作用を発揮することから、このとき絞り機構１５によるダンパー作用が発揮される。したがって、この封入ガスによるガスバネ作用と、絞り機構１５によるダンパー作用とが双方同時に発揮されることから、比較的大きな衝撃吸収効果を得ることができる。
【００２６】
すなわち、図２（Ａ）に示すように、従来のアキュムレータ５１によれば、封入ガスによるガスバネ作用Ｄ１のみが発揮されるのに対して、図２（Ｂ）に示すように、当該実施例によるアキュムレータ１によれば、封入ガスによるガスバネ作用Ｄ１と、絞り機構１５によるダンパー作用Ｄ２とが双方同時に発揮されることから、両作用Ｄ１，Ｄ２の相乗効果によって、図３に示すように比較的大きな衝撃吸収効果を得ることができる。
【００２７】
また、上記効果を得るのに必要とされる絞り機構１５は、シリンダ２の内面に固定された平板状の仕切り部材１６に孔状のオリフィス１７を設けたものであって、仕切り部材１６の形状が比較的単純で、その製作およびシリンダ２に対する取付けが比較的容易なものである。シリンダ２が円筒であれば、仕切り部材１６は円板状で良く、円筒形のピストン６が当接する可能性のある仕切り部材１６のピストン側端面１６ａは平面状で良い。例えば、同じアキュムレータ用仕切り部材でも、ブラダ型アキュムレータに用いられる仕切り部材は、可撓性ブラダの過大変形を防止するためのものとなることから、ブラダが当接するブラダ側端面を複雑な曲面状に形成しなければならないが、当該アキュムレータ１によればそのようなことがなく、仕切り部材１６のピストン側端面１６ａを単純な軸直角の平面に形成すれば良い。また、円板状の仕切り部材１６は、溶接またはネジもしくはストップリングによる固定手段等によって比較的容易にシリンダ２に取り付けられるものである。
【００２８】
したがって、これらのことから、封入ガスによるガスバネ作用Ｄ１と絞り機構１５によるダンパー作用Ｄ２との相乗効果によって比較的大きな衝撃吸収効果が得られるピストン型アキュムレータ１を比較的容易に製造することができる。
【００２９】
またこれに加えて、上記構成のアキュムレータ１においては、絞り機構１５のオリフィス特性を変化させるための調整機構２１が設けられているために、この調整機構２１を操作することにより絞り機構１５のオリフィス特性を変化させることができ、これにより当該アキュムレータ１の衝撃吸収効果を制御することができる。
【００３０】
また、調整機構２１がシリンダ２の外部から操作可能とされているために、装置を分解することなく装置の外部から絞り機構１５のオリフィス特性を変化させることができ、これにより良好な操作性を得ることができる。
【００３１】
尚、上記実施例においては、エンドカバー３と調整部材２３のロッド２４との間をＯリング等のシール部材２６によってシールする構成としたが、該部シールが摺動シールであるが故にそのシール性の確保が懸念される場合には、図４に示すように、シール部材２６の外側にバックアップリング２９を併設してシール性を安定化させることが考えられ、図では、シール部材２６であるＯリングの外側に合成樹脂等の材質よりなるバックアップリング２９が併設されている。
【００３２】
また、図４に示したように、ロッド２４の周面にシール装着溝３０を設けるようにすると、貫通孔２２の内周面にシール装着溝３０を設ける場合（図１の実施例）よりも、加工性を向上させることができる（前者の方が加工しやすい）。
【００３３】
また、ロッド２４のネジ緩み止めを補強するには、同じく図４に示すように、ナット２８と止め輪３１の組み合わせよりなる、いわゆるダブルナット方式を採用すると良い。
【図面の簡単な説明】
【００３４】
【図１】本発明の実施例に係るピストン型アキュムレータの一部切欠した正面図
【図２】（Ａ）は比較例（従来例）に係るアキュムレータの構造を示す模式図、（Ｂ）は本発明の実施例に係るアキュムレータの構造を示す模式図
【図３】本発明の実施例に係るアキュムレータの衝撃吸収特性を示すグラフ図
【図４】本発明の他の実施例に係るピストン型アキュムレータの一部切欠した正面図
【図５】従来例に係るアキュムレータの断面図
【符号の説明】
【００３５】
１  アキュムレータ（ピストン型アキュムレータ）
２  シリンダ
３，４  エンドカバー
５  シリンダ室
６  ピストン
７  ガス室
７ａ  第一ガス室
７ｂ  第二ガス室
８  フルード室
９，１２，１４，２６  シール部材
１０  ガス注入口
１１  プラグ
１３  フルード導入口
１５  絞り機構
１６  仕切り部材
１６ａ  ピストン側端面
１７  オリフィス
１７ａ  内周面
２１  調整機構
２２  貫通孔
２３  調整部材
２４  ロッド
２５  頭部
２５ａ  外周面
２７  ネジ
２８  ナット
２９  バックアップリング
３０  シール装着溝
３１  止め輪
【図１】
2006077908.tif 000003
【図２】
2006077908.tif 000004
【図３】
2006077908.tif 000005
【図４】
2006077908.tif 000006
【図５】
2006077908.tif 000007